(57)【要約】【課題】端子収容室に収容された雌端子のガタを規制し、両端子の接触部分に生じる摺動摩耗などを抑制して、電気的接続の信頼性を向上することができるコネクタを提供する。【解決手段】端子収容室３を有するコネクタハウジング２と、端子収容室３に収容された雌端子４０とを備え、雌端子４０を端子収容室３内の端子係止ランス４で係止し、雌端子４０の収容された状態を保持するコネクタにおいて、端子係止ランス４の係止部５に、雌端子４０の一部に当接し、雌端子４０を端子挿入方向Ｅの面と該端子挿入方向Ｅに直交する方向Ｆの面に押し付ける１又は２つの押付部を形成する。端子収容室３の前壁３ｅに、端子係止ランス４の背面側のたわみ空間６に押し込まれ、端子係止ランス４を前後方向Ｅに直交する方向Ｆへ撓ませるフロントホルダ１２を装着する。【選択図】図１
2006059773.tif 000002
【特許請求の範囲】
【請求項１】
端子収容室を有するコネクタハウジングと、前記端子収容室に収容された雌端子とを備え、該雌端子を前記端子収容室内の端子係止ランスで係止し、前記雌端子の収容された状態を保持するコネクタにおいて、
前記端子係止ランスの係止部に、前記雌端子の一部に当接し、該雌端子を端子収容室を形成している端子挿入方向の面と該端子挿入方向に直交する方向の面に押し付ける１又は２つの押付部を形成したことを特徴とするコネクタ。
【請求項２】
前記押付部が傾斜面であり、該傾斜面によって、前記雌端子が前記端子係止ランスに対向する方向の面に押されることを特徴とする請求項１記載のコネクタ。
【請求項３】
２つの各押付部が、前記雌端子の電気接触部後端の互いに交差する縁にそれぞれ当接する傾斜面であり、各傾斜面によって、前記雌端子が前記端子挿入方向に沿う方向で互いに直交する２つの面に押し付けられることを特徴とする請求項１記載のコネクタ。
【請求項４】
前記端子収容室の前壁に、前記端子係止ランスの係止解除方向に位置するたわみ空間に押し込まれ、前記端子係止ランスの係止解除方向の撓みを規制するフロントホルダを装着したことを特徴とする請求項１〜３のいずれか１項に記載のコネクタ。
【請求項５】
前記フロントホルダの根本側で前記端子収容室の内面を形成する部分に、前記雌端子の先端側に当接し、該雌端子を前記端子挿入方向に直交する方向の面に押し付ける張出部を形成したことを特徴とする請求項４記載のコネクタ。
【発明の詳細な説明】
【技術分野】
【０００１】
本発明は、ワイヤハーネスの端部に設けられ、雄端子を有する雌型のコネクタと嵌合し、コネクタハウジングの端子収容室に収容された雌端子を雄端子に接続させるコネクタに関するものである。
【背景技術】
【０００２】
雄端子を有する雌型のコネクタと嵌合し、雄・雌両端子を相互接続させる雄型のコネクタは、樹脂成形されたコネクタハウジングの内側に複数の端子収容室を有している。端子収容室には、先端側に係止部を有し、挿入反対方向に抜けないように雌端子を係止する端子係止ランスが設けられている。端子収容室は雌端子より僅かに大きい寸法に区画形成されており、雌端子が低挿入力で挿入されるようになっている。図７には、この種のコネクタの一例が示されている（特許文献１）。
【０００３】
図示されるコネクタ６０では、端子収容室６２の前側部分に雌端子７０を弾性的に一次係止する両端支持構造の端子係止ランス６３が設けられ、端子収容室６２の中間部分に、雌端子７０を二重係止するリテーナ６５が設けられている。
【０００４】
端子収容室６２の前側には、上下方向に対向するガタ止め部６６と張り出し部６７とがそれぞれ形成されている。ガタ止め部６６は、端子係止ランス６３の先端側に続くアーム６４に一段高く形成された部分である。張り出し部６７は、雌端子７０が下向きに押されるように端子収容室６２の天井面６２ａに下向きに張り出して形成された部分である。雌端子７０が端子係止ランス６３を撓ませつつ端子収容室６２の前側へ正規位置まで挿入されると、端子係止ランス６３が元に復元し、雌端子７０の先端部がガタ止め部６６と張り出し部６７とにより弾性的に挟持され、雌端子７０の上下方向のガタが規制されるようになっている。
【特許文献１】特開平２００３−２４３０７９号公報（第３−４頁、第５図）
【発明の開示】
【発明が解決しようとする課題】
【０００５】
しかしながら、上記コネクタ６０では、端子収容室６２に雌端子７０が収容された状態において、端子係止ランス６３の係止部６３ａと雌端子７０の被係止部７２との間、及びリテーナ６５の抜け止め部６５ａと雌端子７０の電気接触部７１後端との間にそれぞれ隙間が存するため、車両走行中の振動や電線の引っ張りにより、端子係止ランス６３の弾性力に抗して雌端子７０が端子挿入方向（前後方向）に動くという心配があった。すなわち、上記コネクタ６０は、雌端子７０の前後方向のガタが完全に規制されるものではなく、両端子７０（雄端子は図示せず）の接触部分に摺動摩耗が生じるという懸念があった。
【０００６】
また、上記雌端子７０は、端子収容室６２の奥側の正規位置まで挿入された場合に限って、ガタ止め部６６と張り出し部６７との間で弾性的に挟持され、上下方向のガタが規制されるものであるから、上述したように、雌端子７０が車両走行中の振動などにより後方に動くと、雌端子７０がガタ止め部６６と張り出し部６７との間から抜け出し、拘束状態が解除され、上下方向にガタが生じるという問題があった。雌端子７０の上下方向に長期に亘り継続的なガタが生じた場合には、雌端子７０の電気接触部７１の内側で屈曲形成されたばね片（図１などに示すばね片４２に相当する）にへたりが生じて、両端子７０の接触部分が離れ、電気的接続が行われなくなるという心配があった。
【０００７】
さらに、コネクタハウジングが合成樹脂材料を構成材料として成形された場合は、寸法誤差によって端子収容室６２と雌端子７０の隙間が大きくなる心配がある。隙間が大きくなると、雌端子７０の先端部がガタ止め部６６と張り出し部６７とにより弾性的に挟持されず、雌端子７０が上下方向にガタツキを生じる心配があった。
【０００８】
本発明は、上記した点に鑑み、構造を複雑化せずに端子収容室に収容された雌端子のガタを規制し、両端子の接触部分に生じる摺動摩耗などを抑制して、電気的接続の信頼性を向上することができるコネクタを提供することを目的とする。
【課題を解決するための手段】
【０００９】
上記目的を達成するために、請求項１記載の発明は、端子収容室を有するコネクタハウジングと、前記端子収容室に収容された雌端子とを備え、該雌端子を前記端子収容室内の端子係止ランスで係止し、前記雌端子の収容された状態を保持するコネクタにおいて、前記端子係止ランスの係止部に、前記雌端子の一部に当接し、該雌端子を端子収容室を形成している端子挿入方向の面と該端子挿入方向に直交する方向の面に押し付ける１又は２つの押付部を形成したことを特徴とする。
【００１０】
上記構成によれば、雌端子が端子収容室の正規位置まで挿入されると、端子係止ランスの係止部に形成された押付部が、自身の弾性復元力又は外力によって雌端子の一部、例えば電気接触部の後端や電気接触部の係止孔の孔縁に当接し、雌端子が端子挿入方向の面とそれに直交する方向の面に押し付けられて、雌端子の移動が規制される。
【００１１】
また、請求項２記載の発明は、請求項１記載のコネクタにおいて、前記押付部が傾斜面であり、該傾斜面によって、前記雌端子が前記端子係止ランスに対向する方向の面に押されることを特徴とする。
【００１２】
上記構成によれば、雌端子が端子収容室の正規位置に挿入されて端子係止ランスが撓んだ際に、押付部である傾斜面が雌端子の一部に摺動しつつ当接し、雌端子が端子係止ランスに対向する方向の面に直接押し付けられる。また、傾斜面の摩擦力により、端子挿入方向に直交する他の方向への雌端子の移動が規制される。
【００１３】
また、請求項３記載の発明は、請求項１のコネクタにおいて、２つの各押付部が、前記雌端子の電気接触部後端の互いに交差する縁にそれぞれ当接する傾斜面であり、各傾斜面によって、前記雌端子が前記端子挿入方向に沿う方向で互いに直交する２つの面に押し付けられることを特徴とする。
【００１４】
上記構成によれば、雌端子が端子収容室の正規位置に挿入されて端子係止ランスが撓んだ際に、２つの各傾斜面が雌端子の電気接触部後端の互いに交差する縁にそれぞれ摺動しつつ当接し、雌端子が端子挿入方向に沿う方向で互いに直交する２つの面に直接押し付けられる。
【００１５】
また、請求項４記載の発明は、請求項１〜３のいずれか１項に記載のコネクタにおいて、前記端子収容室の前壁に、前記端子係止ランスの係止解除方向に位置するたわみ空間に押し込まれ、前記端子係止ランスの係止解除方向の撓みを規制するフロントホルダを装着したことを特徴とする。
【００１６】
上記構成によれば、端子係止ランスの係止解除方向の撓みが規制されて雌端子が二重係止される。
【００１７】
また、請求項５記載の発明は、請求項４記載のコネクタにおいて、前記フロントホルダの根本側で前記端子収容室の内面を形成する部分に、前記雌端子の先端側に当接し、該雌端子を前記端子挿入方向に直交する方向の面に押し付ける張出部を形成したことを特徴とする。
【００１８】
上記構成によれば、張出部が雌端子の先端側に当接することで、雌端子の先端側が前後方向に直交する方向の面に押し付けられるため、雌端子の後端側が端子係止ランスで押し付けられた場合であっても、雌端子の先端側の浮き上がりが防止される。
【発明の効果】
【００１９】
以上の如く、請求項１記載の発明によれば、端子係止ランスの係止部に形成された押付部が、自身の弾性復元力又は外力によって雌端子の一部、例えば電気接触部の後端や電気接触部の係止孔の孔縁に当接し、雌端子が端子挿入方向の面とそれに直交する方向の面に押し付けられて、雌端子の移動が規制される。したがって、雌端子は互いに直交する方向で自身のガタが規制され、両端子の接触部に生じる摺動摩耗などが抑制されて、電気的接続の信頼性が向上する。
【００２０】
また、請求項２記載の発明によれば、端子係止ランスが撓んだ際に押付部である傾斜面が雌端子の一部に摺動しつつ当接し、雌端子が端子係止ランスに対向する方向の面に直接押し付けられ、雌端子の移動が互いに直交する２方向で拘束される。したがって、雌端子は端子挿入方向（前後方向）と端子挿入方向に直交する方向の２方向で、直接の押し付け力によりガタが規制される。また、２方向に直交する他の方向で、傾斜面の摩擦力によりガタが規制される。
【００２１】
また、請求項３記載の発明によれば、端子係止ランスが撓んだ際に２つの各傾斜面が雌端子の電気接触部後端の互いに交差する縁にそれぞれ摺動しつつ当接し、雌端子が端子挿入方向の面と端子挿入方向に直交する２つの面とに直接に押し付けられ、雌端子の移動が互いに直交する３方向で規制される。したがって、雌端子は互いに直交する前後方向、上下方向、左右方向の３方向で、直接の押し付け力によりガタが規制され、電気的接続の信頼性がより一層向上する。
【００２２】
また、請求項４記載の発明によれば、端子収容室の前壁にフロントホルダが装着されることで、端子係止ランスの係止解除方向のたわみが規制されて雌端子が二重係止される。したがって、雄端子の挿入の際や電線の不用意な引っ張りによって、係止部の係止が解除されることが防止されて雌端子の係止の信頼性が向上する。
【００２３】
また、請求項５記載の発明によれば、フロントホルダの根本側には張出部が形成されているから、張出部が雌端子の先端側に当接することで、雌端子の先端側が前後方向に直交する方向の面に直接押し付けられ、雌端子は電気接触部の前後両側の２カ所で拘束される。したがって、雌端子の先端側の浮き上がりや先端ガタを防止することができる。
【発明を実施するための最良の形態】
【００２４】
以下に本発明の実施の形態の具体例を図面を用いて詳細に説明する。図１及び図２は、本発明に係るコネクタの第１の実施形態を示すものである。
【００２５】
本実施形態のコネクタ１は、端子収容室３を有するコネクタハウジング２と、端子収容室３に収容された雌端子４０とを備えており、端子収容室３内には、先端側に形成された係止部５で雌端子４０を係止する片持ち支持構造の端子係止ランス４が一体形成され、係止部５には、雌端子４０の前後方向Ｅ（端子挿入方向）と上下方向Ｆの２方向のガタを規制する傾斜面（押付部）５ａが形成されている。
【００２６】
コネクタハウジング２は、内側に端子収容室３を有する断面略矩形状のインナハウジング７と、このインナハウジング７の外側を覆うフード９とを一体に有している。インナハウジング７とフード９との間は環状の嵌合空間１１とされ、相手側の雌型コネクタ３０が嵌入されるようになっている。両コネクタ１，３０の嵌合状態は、フード９に設けられたロークアーム２０により維持されるようになっている。
【００２７】
インナハウジング７の周壁８は、前側から後側にかけて階段状に形成され、前半部から後半部にかけて順次太くなっている。周壁８の前半部には、両コネクタ１，３０の嵌合ガタを規制し、両コネクタ１，３０の接触部分における摩耗などを防止する嵌合ガタ規制リング１０が前後方向Ｅに移動自在に装着されている。嵌合ガタ規制リング１０は、インナハウジング７の前側からフロントホルダ１２が装着されることにより、前方への抜けが防止されるようになっている。
【００２８】
周壁８の中間部には、環状の防水パッキン１６が装着されている。防水パッキン１６の前端面は、嵌合ガタ規制リング１０の後端面に当接し、防水パッキン１６の後端面は、周壁８の後半部の段部に当接している。防水パッキン１６の外周面には、雌型コネクタ３０の嵌合部３１の内周面３１ｂに隙間なく密着する環状のリップ１６ａが突設されている。
【００２９】
周壁８の後半部は、厚肉に形成され、インナハウジング７の後壁を形成している。後半部には、後方に向かって筒状の電線導出部１７が突出形成されている。電線導出部１７の内側には、端子収容室３に連通する大径の電線導出孔１７ａが形成されている。この電線導出孔１７ａは、電線４５の外周に装着された防水ゴム栓４６により密閉されている。
【００３０】
インナハウジング７の内側には、壁部により区画形成された複数の端子収容室３が前後方向Ｅに貫通形成されている。端子収容室３の前端開口は、インナハウジング７の前壁３ｅに設けられていて、雌型コネクタ３０の雄端子３７が挿入されるようになっている。端子収容室３の後端開口は、電線導出孔１７ａに連通していて、箱状の電気接触部４１を有する雌端子４０が挿入されるようになっている。
【００３１】
各端子収容室３は、雌端子４０が引っ掛かりなく低挿入力で挿入されるように、雌端子４０より僅かに大きい寸法で、上側の天井壁３ａ及び下側の底壁３ｂと、左右の側壁３ｃ，３ｃとにより断面矩形状に区画形成されている。天井壁３ａは、端子収容室３の全長の略半分程度の長さで、端子収容室３の後半部に形成に形成されている。端子収容室３の天井壁３ａが形成されていない前半部分には、フロントホルダ１２の差込部１４が位置して端子収容室３の内面が形成されるようになっている。
【００３２】
ここで、コネクタ１の上下の概念は、本実施形態の説明の都合上定めたものであって、実使用の際は上下が逆になり、天井壁３ａが下側に位置し、底壁３ｂが上側に位置することもある。
【００３３】
天井壁３ａには、基端が接続された片持ち支持構造の端子係止ランス４が一体形成されている。端子係止ランス４は、根本側を支点として上下・左右に撓むことができるようになっている。端子係止ランス４の背面上方の空間は、端子収容室３に雌端子４０が挿入された際に、端子係止ランス４が一時待避するたわみ空間６となっている。雌端子４０が端子収容室３の正規位置まで挿入されると、雌端子４０に押された端子係止ランス４が弾性復元して下側に突出し、自由端の腹面４ｂの突出部分が電気接触部４１の上面に形成された係止孔４１ａに係合し、雌端子４０が係止されるようになっている。
【００３４】
端子係止ランス４の先端側には、係止孔４１ａに係合する係止部５が形成されている。係止部５には、雌端子４０の係止孔４１ａの孔縁に当接して雌端子４０を斜め下向きに押し、雌端子４０の前後方向Ｅ及び上下方向Ｆの２方向のガタを規制する傾斜面５ａが形成されている（図２）。
【００３５】
フロントホルダ１２は、インナハウジング７（前壁３ｅ）に装着されて端子係止ランス４の係止解除方向のたわみを規制する部材であり、基部１３と、基部１３に突設された差込部１４とからなっている。差込部１４は、端子収容室３の数と同数形成されており、各差込部１４は各端子収容室３内で端子係止ランス４を下向きに撓ませつつ、端子係止ランス４の背面上方に位置するたわみ空間６に押し込まれるようになっている。差込部１４がたわみ空間６に押し込まれ、たわみ空間６が押し広げられることで、雌端子４０が二重係止されるとともに、傾斜面５ａが電気接触部４１の係止孔４１ａの孔縁に当接するようになっている。
【００３６】
雌型コネクタ３０は機器直付け式のものであり、機器（図示せず）に固定する又は機器と一体の後端のフランジ部３２と、フランジ部３２に続く端子固定部３３と、端子固定部３３に続く略矩形環状の嵌合部３１とでコネクタハウジング３４が構成されている。嵌合部３１の内側のコネクタ嵌合室３５内に突出した雄端子３７と、コネクタハウジング３４とで雌型コネクタ３０が構成されている。
【００３７】
嵌合部３１の外周面には、コネクタ１のフード９に一体形成されたロックアーム２０の係止部２０ａと係合する係合部３１ｃが形成されている。係止部２０ａと係合部３１ｃとが係合することで、両コネクタ１，３０の嵌合状態が維持されるようになっている。コネクタ嵌合室３５は、インナハウジング７を密に内側に嵌入させる大きさに形成されている。前側の大径な内周面３１ｂには防水パッキン１６の外周面に突設されたリップ１６ａが密着し、この内周面３１ｂに続く環状の傾斜面３１ａには、嵌合ガタ規制リング１０の傾斜面１０ａが当接するようになっている。
【００３８】
図２に示されるように、本実施形態の端子係止ランス４の係止部５に形成された傾斜面５ａは、下向き面５ｃと前向きの垂直係止面５ｄの交差する部分に斜め下向きに形成された傾斜面である。傾斜面５ａは、端子収容室３に挿入された雌端子４０を面摩擦力により後方に抜けないように１次係止する係止面であるとともに、電気接触部４１の係止孔４１ａの孔縁に当接して雌端子４０を端子収容室３の前壁３ｅ内面と底壁３ｂ内面に押すガタ規制用の当接面である。傾斜面５ａの大きさは端子係止ランス４の撓み量を考慮して設定されており、端子係止ランス４が根本側を支点として下向きに撓んだ際に、傾斜面５ａが係止孔４１ａの孔縁に当接する寸法に形成されている。
【００３９】
雌端子４０が端子収容室３の正規位置に収容されると、たわみ空間６に待避していた端子係止ランス４が弾性復元し、腹面４ｂの突出部分が電気接触部４１の係止孔４１ａに係合する。この際、端子係止ランス４の弾性復元力により、傾斜面５ａが係止孔４１ａの孔縁に当接し、雌端子４０が斜め下向きに押されて前壁３ｅ内面と底壁３ｂ内面とに押し付けられる。コネクタハウジング２の開口部２ａからフロントホルダ１２が挿入され、インナハウジング７（端子収容室３の前壁３ｅ）に装着されると、フロントホルダ１２の差込部１４が端子係止ランス４の背面４ａ上方のたわみ空間６を押し込まれ、端子係止ランス４の係止解除方向の撓みが規制され、雌端子が二重係止されるようになっている。
【００４０】
このように本実施形態によれば、雄雌両コネクタ１，３０の嵌合ガタが嵌合ガタ規制リング１０により規制されるコネクタにおいて、端子係止ランス４の係止部５には傾斜面５ａが形成されているから、雌端子４０の前後方向Ｅ及び上下方向Ｆのガタが直接規制されるとともに、傾斜面５ａと係止孔４１ａの孔縁との摩擦力により、雌端子４０の左右方向Ｇのガタが規制され、車両走行中等の振動による両端子３７，４０の接触部分の摩耗が確実に防止されるようになっている。
【００４１】
次に、図３〜図６に基づいて本発明に係るコネクタ１Ａの第２の実施形態について説明する。本実施形態のコネクタ１Ａと第１の実施形態のコネクタ１の共通する構成部分について、同一符号を付して説明を省略する。
【００４２】
本実施形態のコネクタ１Ａは、雌端子４０Ａの電気接触部４１後端に当接する端子係止ランス４Ａを有し、端子係止ランス４Ａの係止部５に第１傾斜面（押付部）５ａと第２傾斜面（押付部）５ｂとが形成されたものである。第１傾斜面５ａは、第１の実施形態の傾斜面に相当するものであり、同一の符号が付されている。第２傾斜面５ｂは、前向き面５ｄと横向き面５ｅとに交差し、上下方向Ｆに平行に形成されている。第１傾斜面５ａと第２傾斜面５ｂとが交差する部分には、電気接触部４１後端のコーナ部の干渉を防止するためのぬすみ５ｆが形成されている。
【００４３】
第２傾斜面５ｂ（図５，６）は、雌端子４０Ａの互いに直交する前後方向Ｅ及び左右方向Ｇの２方向のガタを規制する傾斜面であり、フロントホルダ１２Ａの差込部１４によって端子係止ランス４が横向きに押されることにより、雌端子４０Ａが端子収容室３の前壁３ｅ内面と側壁３ｃ内面とに直接押し付けられるようになっている。
【００４４】
このため、第１、２傾斜面５ａ，５ｂにより、雌端子４０Ａは、端子収容室３の互いに直交する前壁３ｅ内面と底壁３ｂ内面と側壁３ｃ内面の３面に直接押し付けられ、互いに直交する前後方向Ｅ、上下方向Ｆ、左右方向Ｇの３方向でガタが規制されるようになっている。
【００４５】
フロントホルダ１２Ａは、第１の実施形態のフロントホルダ１２と同様に、基部１３と、基部１３に突設された差込部１４とからなっている。この差込部１４は、端子係止ランス４の背面４ａと側面４ｃとに接した状態でたわみ空間６内に押し込まれるようになっている。
【００４６】
端子収容室３の前側の内面を形成する部分である差込部１４の根本側には、雌端子４０Ａの電気接触部４１の先端側に当接する張出部１５が形成されている。張出部１５には、電気接触部４１の上面４１ｂと側面４１ｃとにそれぞれ当接する第１当接面１５ａと第２当接面１５ｂとが形成されている。第１当接面１５ａ（図３）は、雌端子４０Ａの電気接触部４１の上面４１ｂを下向きに押圧し、上下方向Ｆの先端ガタを規制する。第２当接面１５ｂ（図４）は、雌端子４０Ａの電気接触部４１の側面４１ｃを横向きに押圧し、左右方向Ｇの先端ガタを規制する。
【００４７】
フロントホルダ１２Ａをインナハウジング７に装着すると、差込部１４の先端側が、端子係止ランス４Ａの背面４ａと側面４ｃとに当接し、端子係止ランス４Ａが撓み、雌端子４０Ａが端子収容室３の前壁３ｅ内面と底壁３ｂ内面と側壁３ｃ内面とに直接押し付けられる。また、差込部１４の根本側では、張出部１５の第１当接面１５ａと第２当接面１５ｂとが、電気接触部４１の上面４１ｂと側面４１ｃとに当接し、雌端子４０が底壁３ｂ内面と側壁３ｃ内面とに直接押し付ける。これによって、端子収容室３に収容された雌端子４０Ａは、電気接触部４１の後端側が端子係止ランス４Ａによって前後方向Ｅ、上下方向Ｆ、左右方向Ｇの３方向に動かないように拘束され、電気接触部４３の先端側がフロントホルダ１２Ａによって上下方向Ｆ、左右方向Ｇの２方向に動かないように拘束される。
【００４８】
このように本実施の形態によれば、第１、２傾斜面５ａ，５ｂを有する端子係止ランス４Ａと、第１、２当接面１５ａ，１５ｂを有するフロントホルダ１２Ａとにより、雌端子４０Ａは、電気接触部４１の前後両側の２カ所でガタが規制され、雌端子４０Ａの先端側の浮き上がりや先端ガタが防止されるようになっている。
【００４９】
なお、上記各実施形態では、インナハウジング７にフロントホルダ１２，１２Ａが装着されているが、これに限らずフロントホルダ１２，１２Ａを有しないコネクタとすることも可能である。この場合、元の位置に復元した端子係止ランス４，４Ａの弾性復元力で、雌端子４０，４０Ａを端子収容室３の内面に押し付けて、雌端子４０，４０Ａのガタを規制するようにする。
【００５０】
また、端子係止ランス４，４Ａの先端側には、第１、２傾斜面５ａ，５ｂが形成されているが、これに限らず、傾斜面を湾曲面とすることも可能である。
【００５１】
また、フロントホルダ１２Ａの根本側には、第１、２当接面１５ａ，１５ｂを有する張出部１５が形成されているが、雌端子４０Ａの電気接触部４１の上面４１ｂ及び側面４１ｃに当接する部分であればよく、本実施形態の形状に限定されず他の形状に形成することも可能である。
【００５２】
また、第２の実施形態のコネクタ１Ａに装着されたフロントホルダ１２Ａを、第１の実施形態のコネクタ１に装着し、雌端子４０の先端ガタを規制することも可能である。
【００５３】
また、雌型コネクタ３０として機器直付けコネクタを用いたが、これに限らず通常のワイヤハーネスのコネクタを用いることも可能である。また、コネクタ１，１Ａとしてフード付きのコネクタを用いたが、これに限らずフードのないコネクタすなわちインナハウジングのみのコネクタを用いることも可能である。その場合、例えばロックアームは雌型コネクタに設けることも可能である。
【図面の簡単な説明】
【００５４】
【図１】本発明に係るコネクタの第１の実施形態を示す縦断面図である。
【図２】図１に示すコネクタの端子係止ランスの斜視図である。
【図３】本発明に係るコネクタの第２の実施形態を示す縦断面図である。
【図４】同じくコネクタの横断面図である。
【図５】図３に示すコネクタの端子係止ランスの斜視図である。
【図６】図５に示す端子係止ランスを下方向からみた図である。
【図７】従来のコネクタの一例を示す断面図である。
【符号の説明】
【００５５】
１，１Ａ          コネクタ
２                コネクタハウジング
３                端子収容室
３ａ              天井壁
３ｂ              底壁
３ｃ              側壁
３ｅ              前壁
４，４Ａ          端子係止ランス
５                係止部
５ａ              傾斜面（押付部）
５ｂ              第２傾斜面（押付部）
１２，１２Ａ      フロントホルダ
１５              張出部
１５ａ            第１当接面
１５ｂ            第２当接面
３０              雌型コネクタ（相手側コネクタ）
３７              雄端子（相手側端子）
４０，４０Ａ      雌端子
４１              電気接触部
４１ｂ            上面
４１ｃ            側面
【図１】
2006059773.tif 000003
【図２】
2006059773.tif 000004
【図３】
2006059773.tif 000005
【図４】
2006059773.tif 000006
【図５】
2006059773.tif 000007
【図６】
2006059773.tif 000008
【図７】
2006059773.tif 000009